(57)【要約】【課題】  撮影操作方法の習得、撮影技術の向上の楽しみを増加させたデジタルカメラを提供する。【解決手段】  シャッタボタン２９が押圧操作されると、システムコントローラ４１は、各部を制御して撮影処理を実行させる。システムコントローラ４１は、画像データがバッファメモリ５２に記憶されている時に、撮影画像解析回路６１を制御して画像データを解析させる。撮影画像解析回路６１は、画像データに基づいて、撮影画像の構図及び撮影状況を解析する。その後、撮影画像解析回路６１は、この解析結果に基づいて、第１情報記憶部６３に記憶された撮影枚数データのうち対応するデータを更新する。システムコントローラ４１は、撮影枚数データが所定条件を満たした時に、所定条件に対応する撮影者情報をＬＣＤ表示パネル１６に表示させる。【選択図】        図３
2005354606.tif 000002
【特許請求の範囲】
【請求項１】
被写体像を撮像する撮像手段を備え、前記撮像手段により撮像された画像データを記録するデジタルカメラにおいて、
撮影画面における主要被写体のサイズや配置位置等の構図毎の撮影枚数データ、及び逆光撮影や近接撮影等の撮影状況毎の撮影枚数データを記憶する第１情報記憶手段と、
撮影が行われた時に、前記撮像手段により撮像された画像データに基づいて、前記構図及び前記撮影状況を解析し、この解析結果に基づいて前記第１情報記憶手段に記憶された前記撮影枚数データのうち対応するデータを更新する撮影画像解析手段とを備え、
前記撮影枚数データが所定条件を満たした時に前記所定条件に対応する撮影者情報を撮影者に対して通知することを特徴とするデジタルカメラ。
【請求項２】
撮影モード毎の撮影枚数データ、及び前回の撮影時からの経過時間である撮影間隔データを記憶する第２情報記憶手段と、
撮影が行われた時に、その撮影の撮影モードを解析して、その解析結果及び内蔵時計の日時情報に基づいて、前記第２情報記憶手段に記憶された前記撮影枚数データ及び前記撮影間隔データのうち対応するデータを更新する撮影モード解析手段とをさらに備え、
前記撮影枚数データ及び前記撮影間隔データが所定条件を満たした時に、前記所定条件に対応する撮影者情報を撮影者に対して通知することを特徴とする請求項１記載のデジタルカメラ。
【請求項３】
前記第１情報記憶手段に記憶された前記撮影枚数データ、前記第２情報記憶手段に記憶された前記撮影枚数データ及び前記撮影間隔データのうち少なくとも１つのデータに基づいて、撮影モードを選択する撮影モード選択メニュー、または各種機能を選択する機能選択メニューを撮影者に最適なメニューに更新することを特徴とする請求項１または請求項２記載のデジタルカメラ。
【請求項４】
前記第１情報記憶手段に記憶された前記撮影枚数データ、前記第２情報記憶手段に記憶された前記撮影枚数データ及び前記撮影間隔データのうち少なくとも１つのデータに基づいて、撮影者に適した撮影モードを設定し、前記撮影モード選択メニューに前記撮影モードを追加することを特徴とする請求項１ないし請求項３のいずれか記載のデジタルカメラ。
【発明の詳細な説明】
【技術分野】
【０００１】
本発明は、撮影操作に対する撮影者の熟練度を向上させる支援機能を備えたデジタルカメラに関するものである。
【背景技術】
【０００２】
近年、カメラが小型化、軽量化されて携帯性が向上している。また、小型化・軽量化と同時に、カメラ本体には様々な撮影機能が搭載されている。このため、カメラの操作方法が複雑になり、初心者にとってはカメラの操作方法を習得するのが面倒で煩わしく感じられるという問題や、カメラの全ての機能を使いこなすのが難しいという問題があった。
【０００３】
このような問題を解決するために、撮影者の操作に基づいてカメラの操作方法に関する詳細な情報を表示手段に段階的に表示するデジタルカメラが知られている（例えば、特許文献１参照）。このデジタルカメラによれば、撮影者が操作部材を操作することによって、熟練度の段階に合わせて、操作方法に関する必要な情報を選択して表示することができる。このため、撮影者の熟練度に応じた適切な情報を撮影者に提供することができる。また、撮影者の熟練度を向上させるために育成モードを設け、この育成モードにおいて、撮影者に特定の撮影操作を促して、それに応じて行われた撮影操作が正しいか否かを判定して判定結果を表示手段に表示させるデジタルカメラが知られている（例えば、特許文献２参照）。このデジタルカメラによれば、各種操作を楽しみながら撮影操作に対する熟練度を向上させることができる。
【０００４】
また、撮影枚数や使用時間等の使用実績をカウントし、使用実績が増加するのに伴って、カメラの撮影機能が拡張されるカメラが知られている（例えば、特許文献３参照）。このカメラによれば、撮影者の撮影経験に見合った機能のみが使用可能であり、撮影者が容易にカメラの撮影機能を使いこなすことができる。
【０００５】
【特許文献１】特開２００３−３１９２１１号公報
【特許文献２】特開２００３−２４４５０４号公報
【特許文献３】特開２００４−２９４２３号公報
【発明の開示】
【発明が解決しようとする課題】
【０００６】
しかしながら、上記特許文献１及び特許文献２に記載のカメラは、撮影者に特別な操作を強いるため、撮影者は煩わしさを感じるという問題がある。また、上記特許文献３に記載のカメラは、累積撮影枚数や使用時間のみで熟練度を判断しており、撮影者の実際の熟練度が考慮されていないので、熟練度が高い撮影者にとってカメラの機能が物足りなく感じられ、操作方法を習得する楽しみや、撮影技術の向上の楽しみが損なわれるという問題があった。
【０００７】
本発明は、上述のような事情に鑑みてなされたものであり、撮影者に特別な操作を強いることなく、撮影操作方法の習得、撮影技術の向上の楽しみを増加させたデジタルカメラを提供することを目的とする。
【課題を解決するための手段】
【０００８】
上記課題を解決するために、本発明のデジタルカメラは、被写体像を撮像する撮像手段を備え、前記撮像手段により撮像された画像データを記録するデジタルカメラにおいて、撮影画面における主要被写体のサイズや配置位置等の構図毎の撮影枚数データ、及び逆光撮影や近接撮影等の撮影状況毎の撮影枚数データを記憶する第１情報記憶手段と、撮影が行われた時に、前記撮像手段により撮像された画像データに基づいて、前記構図及び前記撮影状況を解析し、この解析結果に基づいて前記第１情報記憶手段に記憶された前記撮影枚数データのうち対応するデータを更新する撮影画像解析手段とを備え、前記撮影枚数データが所定条件を満たした時に前記所定条件に対応する撮影者情報を撮影者に対して通知することを特徴とするものである。
【０００９】
また、撮影モード毎の撮影枚数データ、及び前回の撮影時からの経過時間である撮影間隔データを記憶する第２情報記憶手段と、撮影が行われた時に、その撮影の撮影モードを解析して、その解析結果及び内蔵時計の日時情報に基づいて、前記第２情報記憶手段に記憶された前記撮影枚数データ及び前記撮影間隔データのうち対応するデータを更新する撮影モード解析手段とをさらに備え、前記撮影枚数データ及び前記撮影間隔データが所定条件を満たした時に、前記所定条件に対応する撮影者情報を撮影者に対して通知することを特徴とするものである。
【００１０】
さらに、前記第１情報記憶手段に記憶された前記撮影枚数データ、前記第２情報記憶手段に記憶された前記撮影枚数データ及び前記撮影間隔データのうち少なくとも１つのデータに基づいて、撮影モードを選択する撮影モード選択メニュー、または各種機能を選択する機能選択メニューを撮影者に最適なメニューに更新することが好ましい。
【００１１】
また、前記第１情報記憶手段に記憶された前記撮影枚数データ、前記第２情報記憶手段に記憶された前記撮影枚数データ及び前記撮影間隔データのうち少なくとも１つのデータに基づいて、撮影者に適した撮影モードを設定し、前記撮影モード選択メニューに前記撮影モードを追加することが好ましい。
【発明の効果】
【００１２】
本発明のデジタルカメラによれば、撮像された画像データを解析して、この解析結果に基づいて、構図毎の撮影枚数データ及び撮影状況毎の撮影枚数データを更新し、これらの撮影枚数データが所定条件を満たした時に、所定条件に対応する撮影者情報が撮影者に通知される。このため、実際に撮影された画像に基づいて、撮影操作に対する撮影者の熟練度を判断して、撮影者の撮影操作に対する熟練度を撮影者に通知することができるので、撮影操作を習得する楽しみや、撮影技術が向上する楽しみを喚起することができる。また、撮影者は、特別な操作をすることなく、通常の撮影を行いながら自然に撮影操作を習得して、撮影技術を向上させることができる。
【００１３】
また、第１情報記憶手段に記憶された撮影枚数データ、または第２情報記憶手段に記憶された撮影枚数データ及び撮影間隔データのうち少なくとも１つのデータに基づいて、撮影モード選択メニューまたは機能選択メニューを撮影者に適したメニューに更新するので、撮影者に合ったメニューにカスタマイズされる。このため、撮影者に合わせてデジタルカメラの操作性を向上させることができる。
【発明を実施するための最良の形態】
【００１４】
図１は、デジタルカメラの前面側の構成を示す外観斜視図であり、図２は背面側の構成を示す外観斜視図である。図１に示すように、デジタルカメラ１０は、カメラ本体１１の前面側に、図中矢印方向にスライド操作自在なレンズバリア１２を備えている。このレンズバリア１２を図１に示す開放位置にスライドさせることにより、撮影レンズ１３、ストロボ発光部１４が前面に露呈される。さらに、このレンズバリア１２は、電源スイッチを兼用しており、開放位置にスライド操作された時に電源がＯＮとなって撮影可能な状態となり、撮影レンズ１３及びストロボ発光部１４が遮蔽される遮蔽位置にスライド操作された時に電源がＯＦＦになる。また、カメラ本体１１の前面には、光学ファインダを構成するファインダ対物窓１５が設けられている。
【００１５】
図２に示すように、カメラ本体１１の背面側には、ＬＣＤパネル１６、光学ファインダを構成するファインダ接眼窓１７、撮影者により操作され、複数の操作部材で構成される操作部１８が設けられている。ＬＣＤパネル１６には、記録画像、及び各種設定画面等が表示される。また、ＬＣＤパネル１６は、被写体画像をリアルタイムで表示することにより、電子ビューファインダとしても使用される。さらに、ＬＣＤパネル１６は、所定のメッセージを表示して、撮影者に対して情報を通知する通知手段であり、カメラの操作方法に対する熟練度に関するメッセージを表示する。
【００１６】
操作部１８は、モード切替スイッチ２１、戻しボタン２２、送りボタン２３、ズームボタン２４、メニューボタン２５、キャンセルボタン２６、及び表示ボタン２７で構成されている。モード切替スイッチ２１は、撮影モードと、再生モードとの間でモード切替を行う際に、撮影者によってスライド操作され、各モードが選択される。また、送りボタン２３及び戻しボタン２２は、再生モード時に再生画像を順送り及び逆送りする際に押圧操作される。
【００１７】
ズームボタン２４は、撮影レンズ１３のズームレンズをワイド端と、テレ端との間で光軸方向に移動させて光学撮影倍率を変更する際に、撮影者によって上下方向に押圧操作される。メニューボタン２５は、メニュー画面をＬＣＤパネル１６に表示させる際に、撮影者によって押圧操作される。また、キャンセルボタン２６は、メニュー画面内での各種設定の操作を途中でやめる場合、または前画面に戻す場合に押圧操作される。表示ボタン２７は、ＬＣＤパネル１６のＯＮ、ＯＦＦを切替える際に、撮影者によって押圧操作される。
【００１８】
カメラ本体１１の上面には、シャッタボタン２９が設けられている。このシャッタボタン２９は、２段階押しのスイッチとなっている。撮影者が、ＬＣＤパネル１６または光学ファインダを用いてフレーミングを行った後に、レリーズボタン２９を軽く押圧（半押し）すると、露光調節、撮影レンズ１３の焦点調節などの各種撮影準備処理が施され、シャッタボタン２９をもう１度強く押圧（全押し）すると撮影が実行される。
【００１９】
また、カメラ本体１１の側面には、メモリカードスロット３０、外部出力端子３１が設けられている。メモリカードスロット３０には、画像データが記録される記録媒体であるメモリカード３２が着脱自在に装填される。外部出力端子３１は、例えばＵＳＢ端子等であり、メモリカード３２に記録された画像データを外部装置、例えばパーソナルコンピュータ等に出力する際に使用される。
【００２０】
図３は、デジタルカメラ１０の電気的構成を示すブロック図である。図３に示すように、デジタルカメラ１０には、カメラ全体を制御する制御手段であるシステムコントローラ４１が設けられている。システムコントローラ４１の内部には、制御プログラムや各種制御用のデータ等が記憶されたメモリが設けられており、これらのプログラムやデータに基づいて各部を制御する。
【００２１】
また、撮影レンズ１３は、ズームレンズ１３ａ、絞り１３ｂ、及びフォーカスレンズ１３ｃを含んで構成されている。システムコントローラ４１には、モータドライバ４２〜４４が接続されており、これらのモータドライバ４２〜４４には図示せぬモータがそれぞれに接続されている。システムコントローラ４１は、モータドライバ４２，４４を制御することによりモータを駆動させて、ズームレンズ１３ａ及びフォーカスレンズ１３ｃを光軸方向に進退移動させて光学撮影倍率の変更と焦点調整を行う。また、システムコントローラ４１は、モータドライバ４３を制御することによりモータを駆動させて、絞り１３ｂを切り替えることにより、後述するＣＣＤイメージセンサ４５の受光面に入射する光量を制御する。
【００２２】
撮影レンズ１３の背後には、ＣＣＤイメージセンサ４５が配置されている。このＣＣＤイメージセンサ４５は、ＣＣＤドライバ４６を介してシステムコントローラ４１に接続されている。システムコントローラ４１は、ＣＣＤドライバ４６を制御することによりＣＣＤイメージセンサ４５を駆動させて、光電変換により被写体像を電気信号に変換した撮像信号を相関二重サンプリング回路（ＣＤＳ）４７に出力させる。
【００２３】
アナログ信号である撮像信号は、ＣＤＳ４７にてノイズが除去され、さらにＡＭＰ４８にて増幅される。その後、撮像信号は、Ａ／Ｄ変換器４９にてアナログ信号からデジタル信号に変換されて、画像入力コントローラ５０に画像データとして出力される。
【００２４】
画像入力コントローラ５０は、データバス５１を介してシステムコントローラ４１に接続されている。さらに、画像入力コントローラ５０には、データバス５１を介してバッファメモリ５２、及びビデオメモリ５３が接続されている。システムコントローラ４１は、画像入力コントローラ５０を制御して、画像データをバッファメモリ５２及びビデオメモリ５３に記憶させる。
【００２５】
バッファメモリ５２は、撮像された高解像度の画像データが一時的に記憶される。システムコントローラ４１には、データバス５１を介して画像信号処理回路５４が接続されている。画像信号処理回路５４は、撮像された高解像度の画像データがバッファメモリ５２に記憶されている間に、各種画像処理、例えば、階調変換、色変換、ハイパートーン処理、及びハイパーシャープネス処理等を施す。
【００２６】
ビデオメモリ５３は、ＬＣＤパネル１６に画像を表示させる際に、解像度の低い画像データが一時的に記憶される。このビデオメモリ５３に記憶された画像データは、データバス５１を介してＬＣＤドライバ５５に送信される。ＬＣＤドライバ５５は、ＬＣＤパネル１６に画像を表示できるように、画像データに対して信号処理を施して、画像をＬＣＤパネル１６に表示させる。
【００２７】
また、システムコントローラ４１には、データバス５１を介して、圧縮伸張処理回路５６、外部出力端子３１、及びメディアコントローラ５７が接続されている。圧縮伸張処理回路５６は、バッファメモリ５２に記憶された画像データに対してＪＰＥＧ方式等の圧縮形式により圧縮処理を施す。システムコントローラ４１は、メディアコントローラ５７を制御して、圧縮処理された画像データをメモリカード３２に記憶させる。また、圧縮伸張処理回路５６は、メモリカード３２に記憶された画像データを再生する際に、圧縮された画像データに対して伸張処理を行う。また、圧縮伸張処理回路５６は、通常の圧縮モードと、通常の圧縮モードより圧縮率の高い超高圧縮率モードとを備えている。
【００２８】
さらに、システムコントローラ４１には、データバス５１を介してＡＦ検出回路５８、及びＡＥ／ＡＷＢ検出回路５９が接続されている。ＡＦ検出回路５８は、画像データの高周波成分の振幅値が最大となる合焦位置を検出して、ＡＦ検出値をシステムコントローラ４１に出力する。また、ＡＥ／ＡＷＢ検出回路５９は、露出量、すなわち電子シャッタのシャッタ速度、及び絞り１３ｂの絞り値が最適となるＡＥ検出値と、ホワイトバランスが最適となるＡＷＢ検出値とを検出して、システムコントローラ４１に出力する。
【００２９】
各検出回路５８，５９は、シャッタボタン２９の半押し時に、データバス５１を介してシステムコントローラ４１に各検出値を逐次送信する。システムコントローラ４１は、各検出回路５８，５９から取得した検出値に基づいて、フォーカスレンズ１３ｃ、絞り１３ｂ、及びＣＣＤイメージセンサ４５の動作を制御する。
【００３０】
また、システムコントローラ４１には、シャッタボタン２９、操作部１８、時計部６０が接続されている。シャッタボタン２９は、半押し操作、及び全押し操作された時に対応する信号をシステムコントローラ４１に出力する。また、操作部１８は、撮影者によって操作された時に、各操作に対応する信号をシステムコントローラ４１に出力する。時計部６０は、デジタルカメラ６０の内蔵時計であり、この時情報は、画像データに付加される日時データ等に利用される。
【００３１】
また、システムコントローラ４１は、データバス５１を介して、撮影画像解析回路６１、及び撮影モード解析回路６２が接続されている。撮影画像解析回路６１には、データバス５１を介して第１情報記憶部６３が接続されている。第１情報記憶部６３は、撮影画面における主要被写体のサイズや配置位置等の構図毎の撮影枚数データと、逆光撮影や近接撮影等の撮影状況毎の撮影枚数データとで構成される撮影画像情報を記憶する第１情報記憶手段である。また、撮影モード解析回路６２には、データバス５１を介して第２情報記憶部６４が接続されている。第２情報記憶部６４は、撮影モード毎の撮影枚数データと、前回の撮影時からの経過時間である撮影間隔データとで構成される撮影情報を記憶する第２情報記憶手段である。なお、第１情報記憶部６３及び第２情報記憶部６４には、ＥＥＰＲＯＭ等の不揮発性メモリが用いられており、デジタルカメラ１０の電源をＯＦＦにしても情報が消去されずに保持される。
【００３２】
第１情報記憶部６３に記憶される撮影画像情報７１は、例えば図４に示すように、逆光での撮影枚数を示すパラメータＡ１、ワイド端での撮影枚数を示すパラメータＡ２、テレ端での撮影枚数を示すパラメータＡ３、主要被写体を撮影画面の右上に配置して撮影した枚数を示すパラメータＡ４、主要被写体を右下に配置して撮影した枚数を示すパラメータＡ５、主要被写体を左下に配置して撮影した枚数を示すパラメータＡ６、及び主要被写体を左上に配置して撮影した枚数を示すパラメータＡ７で構成されている。撮影画像情報７１には、構図毎の撮影枚数データとして、主要被写体の配置位置毎の撮影枚数データだけでなく、主要被写体のサイズ毎の撮影枚数を示すパラメータや、背景色毎の撮影枚数を示すパラメータを設けても良いし、撮影状況毎の撮影枚数データとして、近接撮影での撮影枚数を示すパラメータを設けても良い。
【００３３】
また、第２情報記憶部６４に記憶される撮影情報７２は、例えば図５に示すように、総撮影枚数を示すパラメータＢ１、前回撮影時からの経過時間である撮影間隔を示すパラメータＢ２、１ヶ月当たりの平均撮影枚数Ｂ３、通常撮影モードでの撮影枚数を示すパラメータＢ４、風景撮影モードでの撮影枚数を示すパラメータＢ５、夜景撮影モードでの撮影枚数を示すパラメータＢ６で構成されている。なお、撮影情報７２は、これらのパラメータに限らず、画素数毎の撮影枚数を示すパラメータ、ストロボの使用回数を示すパラメータ、その他の撮影モードでの撮影枚数を示すパラメータ等を含めても良い。
【００３４】
撮影画像解析回路６１は、高解像度の画像データがバッファメモリ５２に記憶されている時に画像データに基づいて、撮影画像の構図、及び撮影状況を解析する。撮影画像の構図は、例えば、画像データに基づいて、撮影画面内での焦点合焦位置を検出することにより、主要被写体の配置位置を判定することにより解析される。また、撮影状況は、例えば、画像データの輝度信号に基づいて逆光撮影であるか否かを判定することにより解析される。これらの第１情報記憶部６３に記憶されているパラメータＡ１〜Ａ７のデータを更新する。つまり、図６に示すように、人物である主要被写体７３が撮影画面７４の右上に配置されている場合、撮影画像解析回路６１が、画像データを解析して主要被写体７３が画像７４の右上にあることを検出し、対応するパラメータＡ４に１を加算して第１情報記憶部６３のデータを更新する。また、撮影画像情報７１に主要被写体のサイズ毎の撮影枚数を示すパラメータが含まれる場合、撮影画像解析回路６１が、撮影画面における主要被写体のサイズを検出しても良い。
【００３５】
撮影画像解析回路６１が、画像データを解析して逆光撮影であることを検出すると、対応するパラメータであるパラメータＡ１に１を加算して第１情報記憶部７３に記憶されたデータを更新する。また、撮影画像情報７１に背景色毎の撮影枚数を示すパラメータが含まれる場合、撮影画像解析回路６１が、画像データを解析して背景色を検出しても良い。
【００３６】
撮影モード解析回路６２は、撮影処理時に撮影モードを解析して、各撮影モード毎の撮影枚数を示すパラメータＢ４〜Ｂ６のうち対応するパラメータに１を加算して第２情報記憶部６４に記憶されているパラメータのデータを更新する。なお、この撮影モードの解析は、撮影モード解析回路６２が、システムコントローラ４１から撮影モードに関する情報を取得することにより行われる。また、撮影モード解析回路６２は、総撮影枚数を示すパラメータＢ１や、１ヶ月当たりの平均撮影枚数を示すパラメータＢ３のデータを同様に更新する。さらに、撮影モード解析回路６２は、撮影処理時にシステムコントローラ４１を介して時計部６０から日時情報を取得して、この日時情報に基づいて、前回撮影時からの経過時間を示すパラメータＢ２のデータを更新する。
【００３７】
また、システムコントローラ４１は、第１及び第２情報記憶部６３，６４に記憶された各パラメータが所定条件を満たした時に、ＬＣＤドライバ５５を制御することにより、所定条件に対応するメッセージをＬＣＤパネル１６に表示する。このメッセージは、撮影者の操作方法に対する熟練度を示す撮影者情報である。
【００３８】
次に、上記構成のデジタルカメラ１０の作用を図７のフローチャートを用いて説明する。撮影者が、レンズバリア１２を開放位置にスライドさせることによってデジタルカメラ１０の電源がＯＮになる。また、撮影者は、メニューボタン２５を押圧操作することにより、メニュー画面を表示させ、所望の撮影モードを選択する。さらに、撮影者は、ズーム選択スイッチ２４を操作することにより、光学撮影倍率を変更する。その後、撮影者は、ＬＣＤパネル１６を電子ビューファインダとして使用する場合、ＬＣＤパネル１６を見ながらフレーミングを行う。また、光学ファインダを使用する場合は、ファインダ接眼窓１７を覗いてフレーミングを行う。
【００３９】
その後、撮影者によってシャッタボタン２９が押圧されない場合、撮影待機状態が維持される。シャッタボタン２９が押圧された場合、システムコントローラ４１は、シャッタボタン２９から撮影の指令を取得し、各部を制御して撮影を実行する。
【００４０】
撮影処理が実行された時に、撮影画像の解析処理が行われる。以下に、撮影画像の解析処理について図８のフローチャートを用いて説明する。システムコントローラ４１は、画像入力コントローラ５０を制御して、ＣＣＤイメージセンサ４５によって取得された画像データをバッファメモリ５２に記憶させる。さらに、システムコントローラ４１は、撮影画像解析回路６１を制御して、バッファメモリ５２に記憶された画像データを解析させる。また、撮影画像解析回路６１は、画像データを解析することにより、撮影画像の構図及び撮影状況に関する情報を検出して、第１情報記憶部６３に記憶されているパラメータＡ１〜Ａ７のデータを更新する。
【００４１】
例えば、撮影画像解析回路６１が、逆光撮影であることを検出した場合、パラメータＡ１に１を加算して、第１情報記憶部６３に記憶されたデータを更新する。逆光撮影でない場合、パラメータＡ１は更新されない。また、主要被写体７３が画像７４の左上に配置されていることが検出した場合、パラメータＡ７に１を加算して、第１情報記憶部６３に記憶されたデータを更新する。また、主要被写体７３が画像７４の左上に配置されていない場合、パラメータＡ７は更新されない。また、パラメータＡ２〜Ａ６についても同様にデータの更新を行う。
【００４２】
その後、システムコントローラ４１は、第１情報記憶部６３からパラメータＡ１〜Ａ７のデータを取得して、このデータに基づいて撮影者情報の通知処理を行う。この通知処理の例を図９のフローチャートを用いて説明する。システムコントローラ４１は、パラメータＡ１，Ａ４〜Ａ７が２０より大きいか否かを判定する。これらのパラメータＡ１，Ａ４〜Ａ７の全てが２０より大きいと判定された場合、システムコントローラ４１は、ＬＣＤドライバ５５を制御して、例えば、図１０に示すように、「大胆な構図レベル５にアップしました」というメッセージ８０をＬＣＤパネル１６に表示する。なお、この「大胆な構図レベル」は、撮影枚数に基づいてレベルが設定されており、例えば、パラメータＡ１，Ａ４〜Ａ７の全てが３０より大きい場合、「大胆な構図レベル６」となる。
【００４３】
また、パラメータＡ１，Ａ４〜Ａ７のうち１つでも２０以下のものがあれば、システムコントローラ４１は、第２情報記憶部６４から総撮影枚数を示すパラメータＢ１のデータを取得して、パラメータＡ１，Ａ４〜Ａ７の合計が、パラメータＢ１に対して１０％未満であるか否か判定する。１０％以上である場合、通知処理を終了する。１０％未満である場合、システムコントローラ４１が、パラメータＢ１が１０００よりも大きいか否かを判定する。パラメータＢ１が１０００よりも大きい場合、システムコントローラ４１は、ＬＣＤドライバ５５を制御して、図１１に示すように、「正統派写真レベル６にアップしました」というメッセージ８１を表示する。また、パラメータＢ１が１０００以下の場合、通知処理を終了する。なお、この「正統派写真レベル」は、撮影枚数に基づいてレベルが設定されており、例えば、パラメータＡ１，Ａ４〜Ａ７の合計が、パラメータＢ１に対して１０％未満であり、パラメータＢ１が２０００よりも大きい場合、「正統派写真レベル７」となる。
【００４４】
その後、撮影モードの解析処理、及び撮影者情報の通知処理が行われる。以下に、撮影モードの解析処理及び通知処理について図１２のフローチャートを用いて説明する。システムコントローラ４１は、撮影モード解析回路６２を制御して、総撮影枚数、撮影モード毎の撮影枚数、及び１ヶ月当たりの平均撮影枚数を撮影毎にカウントさせる。撮影モード解析回路６２は、このカウントデータに基づいて、第２情報記憶部６４に記憶されたパラメータＢ１〜Ｂ６のうち対応するパラメータのデータを撮影毎に更新する。例えば、総撮影枚数を示すパラメータＢ１は、撮影毎に常にカウントされ、データに１を加算して第２情報記憶部６４のデータが更新される。
【００４５】
その後、システムコントローラ４１は、第２情報記憶部６４からパラメータＢ１のデータを取得し、パラメータＢ１が１００であるか否かの判定を行う。パラメータＢ１が１００であると判定された場合、システムコントローラ４１は、ＬＣＤドライバ５５を制御することにより、図１３に示すように、総撮影枚数が１００枚に到達したことを示すメッセージ８２をＬＣＤパネル１６に表示させて、撮影モード解析処理及び通知処理を終了する。
【００４６】
また、パラメータＢ１が１００でないと判定された場合、パラメータＢ１が２００であるか否かを判定する。パラメータＢ１が２００であると判定された場合、システムコントローラ４１は、ＬＣＤドライバ５５を制御することにより、パラメータＢ１が１００の場合と同様に、総撮影枚数が２００枚に到達したことを示すメッセージをＬＣＤパネル１６に表示させて、撮影モード解析処理及び通知処理を終了する。パラメータＢ１が２００でないと判定された場合、パラメータＢ１が１０００であるか否かの判定まで同様の処理を繰り返す。
【００４７】
また、総撮影枚数に関するメッセージが１００枚毎にＬＣＤパネル１６に表示されるように説明したが、これに限るものではなく、例えば、５０枚毎にメッセージが表示されるようにしても良い。なお、総撮影枚数を示すパラメータＢ１の通知処理について説明したが、他のパラメータ、例えば、撮影モード毎の撮影枚数を示すパラメータＢ４，Ｂ５，Ｂ６についても、所定枚数に到達した時に、各撮影モードでの撮影枚数が所定枚数に到達したことを示すメッセージをＬＣＤパネル１６に表示しても良い。
【００４８】
その後、レンズバリア１２が遮蔽位置にスライド操作されて、デジタルカメラ１０の電源がＯＦＦにされた場合や、再生モード等に切り替えられた場合、撮影処理が終了される。電源がＯＮのままの場合、再びシャッタボタン２９が押圧操作されるまで、待機状態となる。その後、シャッタボタン２９が押圧操作されると前述の処理が繰り返し実行される。
【００４９】
このように、撮影画像情報７１及び撮影情報７２に基づいて、デジタルカメラ１０の操作方法に対する熟練度を判断して、操作方法に対する熟練度を示す撮影者情報をＬＣＤパネル１６に表示して撮影者に通知する。このため、実際撮影された画像を解析した撮影画像情報に基づいて、撮影操作に対する撮影者の熟練度を判断することができるので、撮影者の熟練度を正確に把握することができる。
【００５０】
また、撮影者は、特別な操作を行うことなく、通常の撮影を繰り返し行うだけで、撮影操作に対する熟練度が向上したときに、熟練度が上がったことが通知される。このため、デジタルカメラ１０の撮影操作の熟練度の向上、撮影技術の向上の楽しみが増幅するので、撮影者は、特別な操作をすることなく、通常の撮影を楽しみながら自然に撮影操作を習得して、撮影技術を向上させることができる。
【００５１】
また、上記作用の説明において、撮影画像解析処理を行った後に、撮影モード解析処理を行うように説明したが、撮影モード解析処理を行った後に、撮影画像解析処理を行っても良いし、撮影画像解析処理と撮影モード解析処理とを並列に処理しても良い。
【００５２】
さらに、システムコントローラ４１は、撮影画像情報、及び撮影情報の少なくとも一方に基づいて、デジタルカメラ１０の設定変更、例えば、新たな撮影モードの設定、撮影モード選択メニューの更新、及び新たな機能の追加等を行って、デジタルカメラ１０を撮影者に適した設定にカスタマイズする。
【００５３】
以下に、デジタルカメラ１０の設定変更処理について、図１４のフローチャートを用いて説明する。システムコントローラ４１は、第２情報記憶部６４から総撮影枚数を示すパラメータＢ１、及び１ヶ月当たりの撮影枚数を示すパラメータＢ３を取得する。システムコントローラ４１は、パラメータＢ１が１０００より大きいか否かを判定する。
【００５４】
パラメータＢ１が、１０００以下であると判定された場合、設定変更を行わずに設定変更処理を終了する。また、パラメータＢ１が１０００より大きいと判定された場合、システムコントローラ４１は、パラメータＢ３が１００よりも大きいか否かを判定する。パラメータＢ３が１００以下の場合、設定変更を行わずに設定変更処理を終了する。パラメータＢ３が１００よりも大きいと判定された場合、システムコントローラ４１は、通常の圧縮率よりも圧縮率が大きい超高圧縮率記録モードを使用可能にして、設定変更処理を終了する。
【００５５】
つまり、総撮影枚数が１０００回よりも多く、１ヶ月当たりの撮影枚数が１００回よりも多い場合、超高圧縮記録モードを機能選択メニューに追加して、ＬＣＤパネル１６に機能メニュー画面に表示する。これにより、撮影者が、超高圧縮率記録モードを選択することが可能となり、メモリカード３２に記録できる画像数を増加させることができる。
【００５６】
また、システムコントローラ４１が、各撮影モードでの撮影枚数を示すパラメータＢ４，Ｂ５，Ｂ６に基づいて、撮影モード選択する撮影モード選択メニューである撮影モード選択画面を撮影者に最適なメニューに更新しても良い。例えば、図１５に示すように、使用頻度の高い撮影モード、例えば、通常撮影モードを選択する選択ボタン８５をメニューの上方に配置して、使用頻度の高い順に、風景撮影モードを選択する選択ボタン８６、夜景撮影モードを選択する選択ボタン８７を下方に配置する。また、使用頻度の低い撮影モードを次ページに表示しても良い。このように、使用頻度の高い撮影モードを選択し易いように撮影モード選択画面をカスタマイズすれば、撮影者の撮影スタイルに合わせてデジタルカメラ１０の操作性を向上させることができる。
【００５７】
さらに、システムコントローラ４１が、撮影画像情報７１のパラメータＡ１〜Ａ７に基づいて、撮影モード選択画面を更新しても良い。例えば、システムコントローラ４１は、パラメータＡ１が１００よりも大きくなった時に、新たに逆光撮影モードを設定し、撮影モード選択メニューに逆光撮影モードを選択する選択ボタン８８を新たに追加して、撮影モード選択画面を更新してＬＣＤパネル１６に表示する。この時、使用頻度の低い撮影モード、例えば、夜景撮影モードを選択する選択ボタン８８が削除される。
【００５８】
これにより、撮影者が逆光撮影モードという新たな撮影モードを選択できる。また、撮影画像情報７１に背景色毎の撮影枚数を示すパラメータを追加し、背景色が白の撮影枚数が多い場合、スキー場での撮影頻度が高いと判断して、スキー場での撮影に適した撮影モードを設定しても良い。また、システムコントローラ４１は、撮影画像情報７１が所定条件を満たした時に、画質調整、色調整、露出調整等を行う設定モードを追加して、選択メニュー画面に表示しても良い。
【００５９】
このように、撮影画像情報７１に基づいて、撮影者に適した新たな撮影モードを設定することにより、撮影スタイルに合ったデジタルカメラにカスタマイズすることができる。このため、撮影者に合わせてデジタルカメラ１０の操作性を向上させることができる。
【００６０】
また、システムコントローラ４１が、撮影画像情報及び撮影情報の両方のパラメータに基づいて、今後必要となる撮影モードや機能を設定して、メニューを更新しても良い。
【００６１】
このように、撮影画像情報７１または撮影画像情報７２に含まれる少なくとも１つパラメータに基づいて、各撮影モードの撮影枚数、総撮影枚数、撮影画像の構図、または撮影状況の傾向を判断して、新たな撮影モードや機能を設定し、各種設定メニューをカスタマイズすることにより、撮影者の撮影スタイルに合わせて操作性を向上させることができる。
【００６２】
なお、本実施形態において、撮影画像情報を記憶する第１情報記憶手段と、撮影情報を記憶する第２情報記憶手段とを別個に設けたが、撮影画像情報と撮影情報とを１つの記憶手段に記憶させても良い。
【００６３】
また、本実施形態において、撮影者に対して撮影者情報を通知する通知手段としてＬＣＤパネルを用い、撮影者情報をＬＣＤパネルに表示して撮影者に通知するように説明したが、これに限るものではなく、例えばカメラ本体にスピーカを設けて撮影者情報を音声で通知するようにしても良い。
【図面の簡単な説明】
【００６４】
【図１】デジタルカメラの正面側の構成を示す外観斜視図である。
【図２】デジタルカメラの背面側の構成を示す外観斜視図である。
【図３】デジタルカメラの電気的構成を示すブロック図である。
【図４】撮影画像情報を構成するパラメータを示す説明図である。
【図５】撮影情報を構成するパラメータを示す説明図である。
【図６】撮影画像における主要被写体に位置を示す説明図である。
【図７】デジタルカメラの作用を説明するフローチャートである。
【図８】撮影画像解析処理を説明するフローチャートである。
【図９】撮影者情報の通知処理を説明するフローチャートである。
【図１０】撮影者に通知される撮影者情報を示す説明図である。
【図１１】撮影者に通知される撮影者情報を示す説明図である。
【図１２】撮影モード解析処理及び通知処理を説明するフローチャートである。
【図１３】撮影者に通知される撮影者情報を示す説明図である。
【図１４】設定変更処理を説明するフローチャートである。
【図１５】撮影モード選択画面を示す説明図である。
【図１６】撮影モード選択画面を示す説明図である。
【符号の説明】
【００６５】
１０  デジタルカメラ
１６  ＬＣＤパネル
２９  シャッタボタン
４１  システムコントローラ
４５  ＣＣＤイメージセンサ
６１  撮影画像解析回路
６２  撮影モード解析回路
６３  第１情報記憶部
６４  第２情報記憶部
７１  撮影画像情報
７２  撮影情報
７４  撮影画面
８０，８１，８２  メッセージ
Ａ１〜Ａ７  パラメータ
Ｂ１〜Ｂ６  パラメータ
【図１】
2005354606.tif 000003
【図２】
2005354606.tif 000004
【図３】
2005354606.tif 000005
【図４】
2005354606.tif 000006
【図５】
2005354606.tif 000007
【図６】
2005354606.tif 000008
【図７】
2005354606.tif 000009
【図８】
2005354606.tif 000010
【図９】
2005354606.tif 000011
【図１０】
2005354606.tif 000012
【図１１】
2005354606.tif 000013
【図１２】
2005354606.tif 000014
【図１３】
2005354606.tif 000015
【図１４】
2005354606.tif 000016
【図１５】
2005354606.tif 000017
【図１６】
2005354606.tif 000018